(57)【特許請求の範囲】
【請求項１】
所定の間隔をおいて配置された対をなす縦かまち材と、これらの縦かまち材の間にこれらとほぼ平行に配置された１又は２以上の中間パネル材とが差込嵌合式で組み立てられてなり、各縦かまち材の側部にはかまち側差込嵌合部が形成され、前記中間パネル材の両側の側部には中間材側差込嵌合部が形成されていて、一方の縦かまち材の差込嵌合部に中間パネル材の差込嵌合部が嵌合され、その中間パネル材の反対側の側部に形成された中間材側嵌合部が隣合う中間パネル材の差込嵌合部又は他方の縦かまち材の差込嵌合部に嵌合して、これらの縦かまち材及び１又は２以上の中間パネル材が差込み嵌合されることに基づいて一体的な１枚の面状のパネル材が構成されるとともに、前記中間パネル材の枚数の増減により最終的なパネル材のパネル幅が増減され、
前記縦かまち材と中間パネル材とを含んで差込嵌合された組立体に対し、双方の縦かまち材を中間パネル材を横断して連結するように取手が設けられることを特徴とする家具側面構成用組立パネル体。
【請求項２】
所定の間隔をおいて配置された対をなす縦かまち材と、これらの縦かまち材の間にこれらとほぼ平行に配置された１又は２以上の中間パネル材とが差込嵌合式で組み立てられてなり、各縦かまち材の側部にはかまち側差込嵌合部が形成され、前記中間パネル材の両側の側部には中間材側差込嵌合部が形成されていて、一方の縦かまち材の差込嵌合部に中間パネル材の差込嵌合部が嵌合され、その中間パネル材の反対側の側部に形成された中間材側嵌合部が隣合う中間パネル材の差込嵌合部又は他方の縦かまち材の差込嵌合部に嵌合して、これらの縦かまち材及び１又は２以上の中間パネル材が差込み嵌合されることに基づいて一体的な１枚の面状のパネル材が構成されるとともに、前記中間パネル材の枚数の増減により最終的なパネル材のパネル幅が増減され、
前記縦かまち材及び１又は２以上の中間パネル材とが差込み嵌合された組立体に対し、対をなす縦かまち材を中間パネル材を横断して連結するように取手が固定されるとともに、その組立体の上端面及び下端面の少なくとも一方の面にエッジプレートが前記縦かまち材及び中間パネル材を横断してそれらの面を被覆するように固定され、それらの取手及びエッジカバープレートが、前記組立体の差込嵌合部における離脱を防止する結合部材を兼ねていることを特徴とする家具側面構成用組立パネル体。
【請求項３】
所定の間隔をおいて配置された対をなす縦かまち材と、これらの縦かまち材の間にこれらとほぼ平行に配置された１又は２以上の中間パネル材とが差込嵌合式で組み立てられてなり、各縦かまち材の側部にはかまち側差込嵌合部が形成され、前記中間パネル材の両側の側部には中間材側差込嵌合部が形成されていて、一方の縦かまち材の差込嵌合部に中間パネル材の差込嵌合部が嵌合され、その中間パネル材の反対側の側部に形成された中間材側嵌合部が隣合う中間パネル材の差込嵌合部又は他方の縦かまち材の差込嵌合部に嵌合して、これらの縦かまち材及び１又は２以上の中間パネル材が差込み嵌合されることに基づいて一体的な１枚の面状のパネル材が構成されるとともに、前記中間パネル材の枚数の増減により最終的なパネル材のパネル幅が増減され、
前記縦かまち材の上端面には、軸状部の側面に雌ねじ孔を有する軸状のナット部材を挿入するためのナット挿入部が形成される一方、前記双方の縦かまち材を中間パネル材を越えて連結するように取手が横断的に設けられ、前記ナット挿入部に挿入された軸状のナット部材に対し、前記取手の両端部から締め込まれるねじ部材が螺合されて、前記取手が双方の縦かまち材に固定されることにより、前記ナット部材が外部に現れないようにされたことを特徴とする家具側面構成用組立パネル体。
【請求項４】
前記縦かまち材及び中間パネル材は、アルミニウム等の金属の押出成形により内部が中空の押出成形品材を素材とし、前記差込嵌合部同士で嵌合される一方を第１の差込嵌合部、他方を第２の差込嵌合部としたとき、第１の差込嵌合部は横断面が箱形の凸部、凹部又は凹凸部となる形態で、前記縦かまち材又は中間パネル材の側部の全長にわたって形成され、この差込嵌合部に嵌合する第２の差込嵌合部は、前記箱形の凸部、凹部又は凹凸部とは逆の断面形状又はそれに嵌合可能な断面形状を備えて、前記縦かまち材又は中間パネル材の側部の全長にわたって形成され、それらの第１及び第２の差込嵌合部が合わされて差込み嵌合される請求項１ないし３のいずれか１項に記載の家具側面構成用組立パネル体。
【請求項５】
前記中間パネル材の一方の側部には前記第１の差込嵌合部が、他方の側部には前記第２の差込嵌合部が形成されて、前記中間パネル材が２以上連なる場合は、同一構造の複数の中間パネル材の互いに突き合わされる側部同士が前記第１及び第２の差込嵌合部で差込嵌合される請求項１ないし４のいずれか１項に記載の家具側面構成用組立パネル体。
【請求項６】
前記縦かまち材の下端部には、キャスタ又はアジャスタ脚を取り付ける取付部が形成されて、そこにキャスタ又はアジャスタ脚が取り付けられる請求項１ないし５のいずれか１項に記載の家具側面構成用組立パネル体。
【請求項７】
前記縦かまち材は背面は平面状で、前面が前方に横断面で円弧状に膨出する形状を有し、前記中間パネル材は背面が平面状で縦かまち材の背面とほぼ面一に連なるとともに、前面も平面状とされて前記縦かまち材の前面の膨出部のほぼ基端部に連なる請求項１ないし６のいずれか１項に記載の家具側面構成用組立パネル体。
【請求項８】
前記組立体は複数の中間パネル材を含み、かつ各中間パネル材は背面及び前面ともほぼ面一に連なり、これら中間パネル材の結合状態では厚さの等しい一体的な一つの中間領域を構成し、この両端に前記縦かまち材が一体的に位置する請求項１ないし７のいずれか１項に記載の家具側面構成用組立パネル体。
【発明の詳細な説明】
【０００１】
【発明の属する技術分野】
この発明は、家具の側面を構成するための組立パネル体に関する。
【０００２】
【従来の技術】
従来、例えば厨房家具としてのキッチン台、キッチンワゴン等や、居室で使用する家庭用の家具、あるいは事務用に使う家具等において、それら家具の側面は、求められる家具の奥行き寸法等のサイズに応じてそれぞれ製作する必要がある。様々なサイズの家具を提供しようとすれば、サイズに応じてそれぞれ幅が異なる側板を用意しなければならないため、生産効率が落ちるとともに、コストもアップする。従って、生産効率の点から言えば、安価に量産できる画一品が望ましいのであるが、今日、設置場所に最適なサイズの家具、あるいは個性的な形態の家具等様々なサイズの需要があり、そういった多種少量の需要に対応していくことも求められている。
【０００３】
【発明が解決しようとする課題】
この発明は、多種少量生産にも柔軟に対応することができ、様々なサイズの家具を安価に提供することを課題とする。
【０００４】
【課題を解決するための手段及び発明の効果】
この発明は、所定の間隔をおいて配置された対をなす縦かまち材と、これらの縦かまち材の間にこれらとほぼ平行に配置された１又は２以上の中間パネル材とが差込嵌合式で組み立てられてなり、各縦かまち材の側部にはかまち側差込嵌合部が形成され、前記中間パネル材の両側の側部には中間材側差込嵌合部が形成されていて、一方の縦かまち材の差込嵌合部に中間パネル材の差込嵌合部が嵌合され、その中間パネル材の反対側の側部に形成された中間材側嵌合部が隣合う中間パネル材の差込嵌合部又は他方の縦かまち材の差込嵌合部に嵌合して、これらの縦かまち材及び１又は２以上の中間パネル材が差込み嵌合されることに基づいて一体的な１枚の面状のパネル材が構成されるとともに、前記中間パネル材の枚数の増減により最終的なパネル材のパネル幅が増減されることを特徴とする。
【０００５】
このように、対をなす縦かまち材を基材として用い、その間に差込嵌合方式で１又は２以上の中間パネル材を差込嵌合する構造とし、また中間パネル材も共通品とすることにより、中間パネル材の枚数を増やせば、側面パネルのパネル幅も簡単に大きくすることができる。従って、各サイズで専用のパネル材を作製する場合に比べてコストダウンが図られるとともに、様々なサイズの需要に対して柔軟に、かつ生産性よく対応することができる。
【０００６】
【発明の実施の形態】
以下、本発明の実施の形態を図面に示す実施例を参照しつつ説明する。
図１〜図５は、本発明の一実施例である組立パネル体１の正面図、背面図、側面図、平面図及び底面図を示している。この組立パネル体１は、所定の間隔を置いて配置された一対の縦かまち材２と、これらの間に配された複数（この例では３枚）の中間パネル材３とが、後述する差込嵌合方式により１つの一体的なパネル材に組み立てられ、両端に位置する２本の縦かまち材２をつなぐように複数の中間パネル材３を横断して取手４が設けられている。
【０００７】
このような縦かまち材２と中間パネル材３との差込嵌合体（組立体）の上端面には、それら縦かまち材２及び中間パネル材３に跨って上側のエッジプレート５が、またその組立体の下端面には、下側のエッジプレート６が固定されている。また、この組立体の下端には、２個のキャスタ７が取り付けられている。
【０００８】
図６は、分解斜視図を示すもので（中間プレート３は２枚で描かれている）、上側のエッジプレート５は、縦かまち材２及び中間パネル材３の組立体の上端面に対応する形状を有するとともに、下方へ直角に折り曲げられてその垂直壁部には、複数のビス孔（この場合は４個）５ａが形成され、そのビス孔５ａを通じて組立体の背面から各縦かまち材２及び中間パネル材３に１本ずつ締め込まれるビスにより上側のエッジプレート５が組立体の上端面に固定される。５’は垂直壁部が短いタイプで、これを並列的に示している。一方、下側のエッジプレート６は、この組立体の下端面に対応する形状を有し、各中間パネル材３にそれぞれ対応するビス孔６ａを経て下側から組立体に締め込まれるビスにより組立体の下端面に固定される。なお、キャスタ７は、下側のエッジプレート６の両端部に形成された挿通孔６ｂを経て縦かまち材２の下端部にそれぞれ装着される。
【０００９】
図７は、縦かまち材２の断面図（平面図も同様の形態）である。縦かまち材２は、例えばアルミニウムの押出成形により中空構造の押出成型品を用いることができる。つまり、前壁部２ａ、後壁部（背面部）２ｂ、側壁部２ｃ、さらに差込嵌合部１０とが閉じた断面になるように形成され、内部が中空となっている。また、中間で前後をつなぐ連結壁部２ｄが形成され、この途上に円筒部２ｅを備えている。この円筒部２ｅは、キャスタ７の軸部（ねじ軸あるいはピン等）を装着するために使用できる。
【００１０】
縦かまち材２の後壁部２ｂは、平面状に形成されるが、前壁部２ａは、横断面で前方へ円弧状に膨出する曲面となっている。側壁部２ｃは、後壁部１とほぼ直角に交差する直線的な壁部とされ、この側壁部２ｃとは反対側（内側に相当する）の側部には、かまち側差込嵌合部１０が形成されている。この差込嵌合部１０は、箱型断面の一部からなり、この例では、内側側方へ開口する凹部１４とされていて、凹部１４は並んで２個形成されており、左右の縦かまち材２でそれら凹部１４のいずれかが選択的に差込嵌合部として使用される。このような凹部１４は、例えばアルミの押出成形による場合、縦かまち材２の高さ方向の全長にわたって容易に形成することができる。
【００１１】
図８は、中間パネル材３の横断面図（平面図も同様）である。この中間パネル材３も縦かまち材２と同様、例えばアルミニウム又はその合金等の押出成形品が用いられ、横断面で外周が閉じた壁部を構成し、内部が中空構造となっている。この中間パネル材３は、互いに平行に対向する前壁部３ａ及び後壁部３ｂを有し、また一方の側部に第１の差込嵌合部１１を、他方の（反対側の側部）に第２の差込嵌合部１２を備え、これら第１及び第２の差込嵌合部１１及び１２は、前述のアルミ押出成形等により、中間パネル材３の高さ方向の全長にわたって箱形の横断面形状を有するように形成されている。
【００１２】
この例で第１の差込嵌合部１１は、側部外方へ方形の箱形断面で突出する凸部１３と、この凸部１３とは中間パネル材３の厚み方向に隣り合い、側部内方へ入り込んだ方形箱形断面の凹部１４とを備えた凹凸複合構造の差込嵌合部となっている。また、反対側の側部に設けられた第２の差込嵌合部１２は、このパネル材３の中心に関してちょうど点対称となるように配置されている。すなわち、第１の差込嵌合部１１では中間パネル材３の後壁側に凸部１３が、前壁側に凹部１４が形成されているのに対し、第２の差込嵌合部１２ではこの関係が逆となって、後壁側に凹部１４が、前壁側に凸部１３が位置して、これらが隣り合った凹凸複合式の差込嵌合部とされている。
【００１３】
そして、この凸部１３の幅は、凹部１４に実質的に隙間なく嵌る厚みとされている。このように、中間パネル材３の一方の側部と他方の側部にそれぞれ対称的な（厚み方向に反転した）凹凸式の差込嵌合部が設けられることにより、１種類の中間パネル材３を複数用意しておけば、これら中間パネル材３の側部同士を横方向へ何枚でも継ぎ合わせていくことができる。なお、中間パネル材３には前壁部３ａと後壁部３ｂとをつなぐ連結壁部３ｃが複数箇所（この例では２箇所）に形成され、その連結壁部３ｃの中間に円筒又はＣ形断面部３ｄが形成されている。このＣ形断面部３ｄは、上側又は下側のエッジプレート５又は６を固定するビスをねじ込む部分に利用することができる。
【００１４】
なお、隣り合う中間パネル材３の差込嵌合においては、互いの側部を突き合わせて押し込むように差込嵌合することができる。その際、凸部１３の基端部には両側に肩面１３ａが形成され、外側の肩面１３ａに相手方の凹部１４の外壁部１４ａの先端が当接又はごく近接し、また内側の肩面１３ａには、相手方の凸部１３の肩面１３ａが当接又はごく近接する。そして、凸部１３の肩面１３ａの奥行き寸法と凹部１４の外壁部１４ａの厚みとがほぼ等しくされるところから、中間パネル材同士を互いの側部で突き合わせて差込嵌合した状態で、隣り合う中間パネル材３の前壁部３ａ同士及び後壁部３ｂ同士は、いずれも実質的に面一の平面でつながることとなる。
【００１５】
なお、中間パネル材３ａの一方の側部と縦かまち材２の一方の側部との差込嵌合においては、縦かまち材２の差込嵌合部は凹部１４で構成され、凸部は存在しない。そのかわり、縦かまち材２の前壁部２ａ端壁部２ｆが中間パネル材３の凹部１４の外壁部１４ａに当接又はごく近接する。これにより、中間パネル材３の平面的な前壁３ａの端部は、縦かまち材２の前壁部２ａにおける膨出形態の基端に連なることとなる。
【００１６】
図９（ａ）及び（ｂ）は、前述の上側のエッジプレート５及び５’を示しており、垂直壁が長い方のエッジプレート５は、主に当該組立パネル体が固定されることとなる家具中間部（ユニット）の上面２５が、組立パネル体の上端より低い位置（突条５ｂの位置）に結合される場合に使用される。垂直壁が短い方のエッジプレート５’は、主に上記家具中間部（ユニット）が組立パネル体の上端と同一又はやや低い位置に結合される場合に用いられる。また、図１０に示すように、下側のエッジプレート６は垂直壁部を実質的に備えてはいないが、中間パネル材３の下端部に嵌め込まれる１対の平行な突条６ｃを備えている。
【００１７】
図１３に示すように、縦かまち材２の外表面は、その縦方向に延びる微小ピッチの細かい縦溝２０が形成された意匠面となっている。この細かい縦溝２０は、縦かまち材２において差込嵌合部１０の内側空間を除いて、前壁２ａ、後壁２ｂ及び他方の側壁２ｃの前表面に形成されている。また図１４に示すように、中間パネル材３については、そのような細かい縦溝２０が両側部の第１の差込嵌合部１１及び第２の差込嵌合部１２を除く前壁部３ａ及び後壁部３ｂの前表面に形成されている。このような縦溝２０は、前述の押出成形時に容易に付与することができ、金属地肌の意匠効果を高めるものとなっている。
【００１８】
以上のような縦かまち材２及び２以上の中間パネル材３を組み立てるには、図１５に示すように、中間パネル材３ａの第１の差込嵌合部１１を、縦かまち材２の差込嵌合部１０に側方から嵌め入れ、また、中間パネル材３の反対側の側部に形成された第２の差込嵌合部１２には、全く同種の別の中間パネル材３の第１の差込嵌合部１１を側方から差し込む。以下同様にして、必要なパネル幅が得られるように適数枚の中間パネル材３を側部同士で差込嵌合し、端部に位置する中間パネル材３の第２の差込嵌合部１２を、反対側の端部に位置する縦かまち材２の差込嵌合部である凹部１４に差し込んで、とりあえずの組立が終了する。図１５では、中間パネル材３が２枚の場合（▲１▼▲２▼）と、２点鎖線で付加した４枚の場合（▲１▼▲２▼▲３▼▲４▼）とを併せ示している。
【００１９】
前述のように縦かまち材２の差込嵌合部１０には、その前壁側と後壁側で対称的に全く同じ凹部１４が並んで形成されており、これによって縦かまち材２は右あるいは左のいずれに配されるかに関係なく、共通のものを使うことができる。つまり、縦かまち材２の２つの凹部１４のいずれかが選択的に使われることにより、１種類の縦かまち材で右配置・左配置が可能である。中間パネル材３も１種類のものが複数あればよいから、結局、１種類の縦かまち材２と１種類の中間パネル材３とをそれぞれ複数用意しておけば、中間パネル材３のパネル幅を単位として、最終的な組立パネル体のパネル幅を任意に増減することができる。上記の差込嵌合による組立体は、いわば仮固定された状態にある。言い換えれば、側方への引き離し荷重で差込嵌合は解除される。このような仮固定状態で、前述の取手４が両端の縦かまち材２をつなぐように配置される。この例における取手４は、図１１に示すように、縦長の断面を有するとともに、前面側に円弧状（弓状）に膨らみでた平面形態（図４等参照）を有していて、その一端が一方の縦かまち材２に、他端が他方の縦かまち材２に固定され、中間部では、複数の中間パネル材３の前面から所定距離隔ててこれらを横断している。
【００２０】
ここで、取手４の両端部をそれぞれの縦かまち材２に固定するには、例えば図７に示す縦かまち材２の円筒部２ｅ（この円筒部２ｅは縦かまち材２の高さ方向の全長にわたって形成されている）の上端部開口から、図１２に示すような円柱状で側面にねじ孔２１ａが形成された雌ねじ部材（ナット部材）を挿入して位置決めしておく。そして、取手４の両端部に形成されたビス穴から、ナット部材２１の雌ねじ孔２１ａに締め込まれるビス（締結部材）によって、取手４の両端部を縦かまち材２にそれぞれ固定することができる。この取手４は当該組立パネル体が例えばワゴンの一側壁を構成する場合に、手で把持されてワゴンを動かす操作部となるものであるが、両端の縦かまち材２をつなぐように固定されることにより、結果的に両縦かまち材２の離間を防ぐこと、言い換えれば、前述の差込嵌合部の抜けを防止する結合部材の役割も果たすこととなる。そして、このような組立体の上端面及び下端面は、前述のような押出成形品の場合、内部空間が開放されているため、上側のエッジプレート５及び下側のエッジプレート６がその上端面及び下端面にそれぞれ固定されることにより、それらの開口が塞がれる。
【００２１】
これらエッジプレート５及び６は化粧板の役割を果たすとともに、縦かまち材２及び中間パネル材３にビス等で固定されるところから、前述のように差込嵌合された組立体の結合部材の役割を、前述の取手部４とともに果たすこととなる。そして、必要に応じキャスタ７が、図７の縦かまち材２における円筒部２ｅの下端部を利用してねじ込みやピン結合等により連結される。なお、キャスタ７に代えて、床面に体する設置調整を行うアジャスタ脚を取り付けることもでき、その取付構造はキャスタの場合と同様とすることができる。
【００２２】
以上のようにして得られる組立パネル体１は、各種の家具の側壁を構成するパネル材として汎用的に用いることができる。図１６は、各種のワゴンの側板として上述の組立パネル体１を用いる例を示している。具体的には、（ａ）は一対の組立パネル体の間に天板、底板及び棚板を配したコンテナ状のワゴンであり、中間パネル材は２枚の例である。（ｂ）は同様な形態で中間パネル材が３枚の例である。（ｃ）は一対の組立パネル体の間に引出ユニットを固定した引出付きワゴンであり、（ｄ）はその引出の幅を広くした（ｃ）と同様なタイプである。（ｅ）は中間のユニットとして、引出と開閉扉式の収納部を備えたユニットを両組立パネル体間に配置したワゴンであり、（ｆ）は開閉扉をさらに１つ増やしたより大型のワゴンである。
【００２３】
以上はワゴン家具に当該組立パネル体を適用したものであるが、ワゴン以外に固定設置式の家具の側壁（立壁）にこの発明の組立パネル体を使用することもできる。図１７はそのいくつかの例を示すもので、この例では厨房家具（キッチン台）の適用例を示している。例えば（ａ）はレンジ台、（ｂ）は流し台（シンク）、（ｃ）は調理台、（ｄ）は間口の大きな流し台、（ｅ）はシンクと調理台の合体されたものである。（ｆ）は複合タイプのシンク、（ｇ）はシンクと調理台との組合せ、（ｈ）はレンジと調理台との組合せを示し、これら（ａ）〜（ｈ）のキッチン台はいずれも収容引出を備えている。これらの適用例では中間パネル材３は４枚以上とされている。また、逐一図示はしないが、オーブン台等その他の厨房家具の側板に適用できる。さらにこの発明の組立パネル体は厨房家具以外に、一般的な収納家具、あるいは事務机、事務収納台等の事務用家具の側壁部にも適用できる。
【００２４】
以上のように、図１等に示した組立パネル体１の２枚使って、その間に所定の家具中間部（ユニット）を固定することとなるが、図２に示すように、そのユニット（それが箱形のものである場合、あるいは単純な天板、底板、床板（棚板）等である場合のいずれにせよ）との結合のために、組立パネル体１の背面（裏面）には、上記ユニットを固定する締結用のねじ孔又は固定用のピンを挿入する組付用の孔２３、２４を形成しておくことができる。これらの組付用の孔は、前述のように縦かまち材２及び複数の中間パネル材３を差込嵌合して一体的な組立体とした後、後加工で形成してもよいし、差込嵌合前に予め縦かまち材２や中間パネル３の所定部位に形成しておいてもよい。あるいは、このような組付用の孔２３、２４等を組立パネル体に直接形成する以外に、所定のブラケットを固定し、このブラケットを介して所定のユニットを連結するようにしてもよい。
【００２５】
なお、ワゴンとして利用する場合でも、取手４は、両側に配する組立パネル体にそれぞれ設けることもできるし、一方の組立パネル体のみに取り付け、他方では省略することもできる。据置設置型とされる場合は、取手４やキャスタ７は存在しない。代わりに前述のようにアジャスタ脚を取り付けることができる。また、中間パネル材３は一般には複数枚使用されるが、パネル幅の狭い側板を構成する場合は、中間パネル材３は１枚として、その両側に縦かまち材２を結合することもできる。また、縦かまち材２や中間パネル材３の材質や形態は、アルミニウム等の押出成形品に限らず、金属のプレス加工品あるいは樹脂成型品、もしくは木製、あるいは複数の材質の複合材であってもよい。
【図面の簡単な説明】
【図１】本発明の一実施例である組立パネル体の正面図。
【図２】背面図。
【図３】側面図。
【図４】平面図。
【図５】底面図。
【図６】図１に対応する分解斜視図（ただし、中間プレートは２枚で描かれ、上側のエッジプレートは２種類描かれている）。
【図７】縦かまち材の横断面図。
【図８】中間パネル材の横断面図。
【図９】上側エッジプレートの側面図。
【図１０】下側エッジプレートの側面図。
【図１１】取手の断面図。
【図１２】取手を固定するねじ部材を受けるナット部材の斜視図。
【図１３】図７の部分的な拡大図。
【図１４】図８の部分的な拡大図。
【図１５】２本の縦かまち材及び複数枚の中間パネル材における差込嵌合状態の断面図。
【図１６】本発明の組立パネル体をワゴン家具に用いる幾つかの適用例を示す斜視図。
【図１７】この発明の組立パネル体を厨房家具に用いる幾つかの適用例を示す斜視図。
【符号の説明】
１  組立パネル体
２  縦かまち材
３  中間パネル材
４  取手
５  上側のエッジプレート
６  下側のエッジプレート
７  キャスタ
１０  かまち側差込嵌合部
１１  第１の差込嵌合部（中間材側差込嵌合部）
１２  第２の差込嵌合部（中間材側差込嵌合部）
１３  凸部
１４  凹部
【図１】
0003626117.tif 000002
【図２】
0003626117.tif 000003
【図３】
0003626117.tif 000004
【図４】
0003626117.tif 000005
【図５】
0003626117.tif 000006
【図６】
0003626117.tif 000007
【図７】
0003626117.tif 000008
【図８】
0003626117.tif 000009
【図９】
0003626117.tif 000010
【図１０】
0003626117.tif 000011
【図１１】
0003626117.tif 000012
【図１２】
0003626117.tif 000013
【図１３】
0003626117.tif 000014
【図１４】
0003626117.tif 000015
【図１５】
0003626117.tif 000016
【図１６】
0003626117.tif 000017
【図１７】
0003626117.tif 000018